(57)【要約】【課題】成形機を増設することなく生産性を向上させることができる上、金型のメンテナンスが容易であり、コストダウンに貢献することができる光学素子成形用金型を提供する。【解決手段】上面に成形面２２１を有する下型２と、下型２に対して位置決め手段５０，５１によって相互の位置決めがされて離間接近可能かつ着脱自在に載置され、下面に成形面３１を有する上型３とを有し、上型３及び下型２のいずれか一方又は両方が相互の連結手段５０，５２を有し、上型３の上に下型２を連結手段５０，５２を介して積み重ね可能とする。【選択図】図３
2007246377.tif 000002
【特許請求の範囲】
【請求項１】
上面に成形面を有する下型と、前記下型に対して位置決め手段によって相互の位置決め
がされて離間接近可能かつ着脱自在に載置され、下面に成形面を有する上型とを有し、
前記上型及び下型のいずれか一方又は両方が相互の連結手段を有し、前記上型の上に前
記連結手段を介して前記上下型の組を１組以上積み重ね可能としたことを特徴とする光学
素子成形用金型。
【請求項２】
請求項１記載の光学素子成形用金型において、
前記連結手段が、前記上型の上面から突出しているガイドピンと、前記下型の下面に開
口している前記ガイドピンが挿入される連結用穴とで構成されることを特徴とする光学素
子成形用金型。
【請求項３】
請求項２記載の光学素子成形用金型において、
前記上型に、前記ガイドピンを前記上型の上面から突出させて固定可能及び前記上型の
下面から突出させて固定可能な貫通孔が少なくとも４箇所設けられ、
前記位置決め手段が、前記上型の下面から突出している前記ガイドピンと、前記下型の
上面に開口している前記ガイドピンが挿入される位置決め用穴とで構成されることを特徴
とする光学素子成形用金型。
【請求項４】
請求項１〜３いずれかに記載の光学素子成形用金型において、
前記下型が、上面に成形面を有するコア型と、前記コア型を固定する枠状の胴型とを有
することを特徴とする光学素子成形用金型。
【請求項５】
請求項１〜４いずれかに記載の光学素子成形用金型において、
複数の凸レンズが設けられたレンズアレイを成形することを特徴とする光学素子成形用
金型。
【請求項６】
上面にガイドピンが挿入される位置決め用穴が開口している下型の上に硝材を載置する
工程と、
前記下型に下面にガイドピンが突出している上型を前記位置決め用穴に前記ガイドピン
を挿入して載置する工程と、
前記上型に設けられている連結手段を用いて下型を前記上型の上面に載置する工程と
を有することを特徴とする光学素子成形用金型の組立方法。
【発明の詳細な説明】
【技術分野】
【０００１】
本発明は、ガラスモールド法で光学素子を成形する光学素子成形用金型及びその組立方
法に関する。
【背景技術】
【０００２】
ガラスモールド法は、ガラスを軟化させた状態で型により加圧成形してレンズ等を直接
得る方法で、非球面ガラスレンズや凸面レンズが多数設けられたレンズアレイなどの複雑
な曲面を有するレンズの製造に用いられている。
【０００３】
ガラスモールド法で用いられる光学素子成形用金型は、下面に成形面を有する上型と上
面に成形面を有する下型とを備える。このような光学素子成形用金型として、下記特許文
献１、２に示すものが開示されている。成形方法は、例えば、下型は昇降軸である軸の先
端に取り付けられ、上型は固定軸である上軸の下端に取り付けられ、下型の成形面にプリ
フォームと呼ばれる硝材を載置し、真空又は不活性ガス雰囲気下で硝材を上型と下型で挟
みながら赤外線ヒータ等により硝材を加熱して軟化させた後、プレス成形し、上下型の成
形面の形状を硝材に転写する熱プレス成形である。
【０００４】
特許文献１，２に記載されているように、従来の光学素子成形用金型は、上型と下型の
一対で構成され、成形品の数量は金型に設けられた成形部の個数で決まることになるため
、同一時間内で成形しうる成形機１台あたりの製品数量を多くしようとする場合には成形
機の増設が必要になってくる。
【０００５】
このような生産性の課題を解決するために、特許文献３及び４に開示されているように
、縦方向に複数個の成形部を有する光学素子成形用金型が提案されている。
【特許文献１】特開平１０−１６７７３７号公報
【特許文献２】特開平１０−２８７４３４号公報
【特許文献３】特開２００１−１１４５２３号公報
【特許文献４】特開２００３−４８７２５号公報
【発明の開示】
【発明が解決しようとする課題】
【０００６】
しかしながら、上記特許文献３では胴型内部に両面成形面をもつ金型を複数個入れるこ
とで同じ圧力で多数個の成形品を得る方法が提案されているが、成形品、両面金型の取出
し等、取り扱いに対する課題が残る。
【０００７】
また、上記特許文献４では、中間型を取り付けることにより成形数の生産数を上げる方
法が提案されている。しかし、中間型があることにより、金型メンテナンスの際、取外し
、再設置、軸合わせなど作業性の悪さが加わってくる。
【０００８】
ガラスモールドに用いる光学素子成形用金型では、成形面に離型膜を設ける離型処理が
必要となり、そのメンテナンスのための金型の分解操作に手間を要し、生産性低下の大き
な要因になっている。
【０００９】
本発明は、上記事情に鑑みてなされたもので、成形機を増設することなく生産性を向上
させることができる上、金型のメンテナンスが容易であり、コストダウンに貢献すること
ができる光学素子成形用金型を提供することを目的とする。
また、本発明は、かかる光学素子成形用金型の組立方法を提供することを目的とする。
【課題を解決するための手段】
【００１０】
上記目的を達成するため、本発明は、第１に、上面に成形面を有する下型と、前記下型
に対して位置決め手段によって相互の位置決めがされて離間接近可能かつ着脱自在に載置
され、下面に成形面を有する上型とを有し、前記上型及び下型のいずれか一方又は両方が
相互の連結手段を有し、前記上型の上に前記連結手段を介して前記上下型の組を１組以上
積み重ね可能としたことを特徴とする光学素子成形用金型を提供する。
【００１１】
この光学素子成形用金型は、下型と上型の一対の独立した金型の上型の上に下型が連結
手段を介して積み重ね可能であり、下型と上型の一対で構成される金型の上に更に独立し
た金型を積み重ね可能になっている。一台の成形機に複数個の金型を積み重ねて成形でき
るため、成形機を増設することなく生産性を向上させることができる。また、下型に対し
て上型を載置するだけで位置決め手段で位置決めされて組み立てることができるため、下
型と上型は成形機に取り付ける必要がなく、しかも上型と下型とは簡単に分離できるため
分解が容易であり、容易にメンテナンスを行うことができる。
【００１２】
本発明は、第２に、上記第１の光学素子成形用金型において、前記連結手段が、前記上
型の上面から突出しているガイドピンと前記下型の下面に開口している前記ガイドピンが
挿入される連結用穴とで構成されることを特徴とする光学素子成形用金型を提供する。
【００１３】
下型と上型の一対で構成される第１の金型の上に第２の金型を積み重ねるときに、第１
の金型の上型の上面から突出しているガイドピンに第２の金型の下型の連結用穴を挿入し
て載置することにより、第１の金型の上に第２の金型をずれなく容易に積み重ねることが
できる。
【００１４】
本発明は、第３に、上記第２の光学素子成形用金型において、前記上型に、前記ガイド
ピンを前記上型の上面から突出させて固定可能及び前記上型の下面から突出させて固定可
能な貫通孔が少なくとも４箇所設けられ、前記位置決め手段が、前記上型の下面から突出
している前記ガイドピンと、前記下型の上面に開口している前記ガイドピンが挿入される
位置決め用穴とで構成されることを特徴とする光学素子成形用金型を提供する。
【００１５】
ガイドピンを連結手段と位置決め手段の両方を兼用できる構造とすることにより、上型
に設ける少なくとも４箇所の貫通孔の少なくとも２箇所を連結用として用い、少なくとも
２箇所を位置決め用として用いれば、部品の共通化で金型の低コスト化に貢献できる。
【００１６】
本発明は、第４に、上記第１〜３いずれかの光学素子成形用金型において、前記下型が
、上面に成形面を有するコア型と、前記コア型を固定する枠状の胴型とを有することを特
徴とする光学素子成形用金型を提供する。
【００１７】
成形面を有するコア型は頻繁に交換する必要があり、胴型に固定して交換可能とするこ
とにより、金型の低コスト化に寄与できる。また、胴型に前述した位置決め手段を構成す
る位置決め用穴を設けることができる。
【００１８】
本発明は、第５に、上記第１〜４いずれかの光学素子成形用金型において、複数の凸レ
ンズが設けられたレンズアレイを成形することを特徴とする光学素子成形用金型を提供す
る。
【００１９】
レンズアレイを成形するための硝材は平板ガラスであるため、下型の上に平板ガラスを
載置し、その上に上型を載置するという簡単な方法で金型を組み立てることができる。
【００２０】
本発明は、第６に、上面にガイドピンが挿入される位置決め用穴が開口している下型上
に硝材を載置する工程と、前記下型に下面にガイドピンが突出している上型を前記位置決
め用穴に前記ガイドピンを挿入して載置する工程と、前記上型に設けられている連結手段
を用いて下型を前記上型の上面に載置する工程とを有することを特徴とする光学素子成形
用金型の組立方法を提供する。
【００２１】
本発明の光学素子成形用金型は、下型、硝材、上型、更にその上に下型を順次載置して
いく組立方法で金型を積み上げていくことができる極めて簡便な金型である。
【発明を実施するための最良の形態】
【００２２】
以下、本発明の光学素子成形用金型及びその組立方法の実施の形態について説明するが
、本発明は以下の実施の形態に限定されるものではない。
【００２３】
図１〜図４は、本発明の光学素子成形用金型の第１実施形態を示している。図１は、金
型を構成する主要部品の断面図、図２は、金型を構成する主要部品の平面図で、（ｄ）だ
けは底面図であり、図３は、図１に示した主要部品を有する金型の上に別の金型を積み上
げていく方法を示す金型の断面構造、図４は、成形機に金型を配置した状態を示す概略構
成図である。
【００２４】
第１実施形態の光学素子成形用金型は、光学素子のレンズアレイ成形用であり、極めて
簡素な構造を有する。レンズアレイは、凸レンズが多数設けられた板状の光学素材であり
、例えば、プロジェクターの光源の光を平行光線化するために用いられる。この光学素子
成形用金型１は、下型２と、上型３の２つの金型で構成されている。金型材には成形時の
熱膨張・収縮に差が生じないよう、耐熱鋼、超硬合金、セラミック等の材料が用いられる
。
【００２５】
下型２は、固定板２１と、コア型２２と、胴型２３の３つの主要部品によって構成され
ている。図１（ｃ）の断面図、図２（ｃ）の平面図に示すコア型２２は、上面に複数の凸
レンズを有するレンズアレイの形状を転写する成形面２２１を備えるブロック形状である
。コア型２２の成形面２２１には合金薄膜の離型膜がスパッタリング等によって設けられ
る。図示しないが、コア型２２の底面には後述する固定板２１に固定するための４箇所の
ねじ穴が設けられている。
【００２６】
図１（ｂ）の断面図、図２（ｂ）の平面図に示す胴型２３は、コア型２２が数μｍの隙
間で嵌る水平断面がコア型２２とほぼ一致する内部空間２３１を有する枠状体である。内
部空間の周囲の枠状体にはコア型２２の成形面２２１の周囲に垂直の壁面を形成するよう
にコア型２２よりごくわずか高くなっている平面部２３２が設けられ、その平面部２３２
より高いリング状の枠部２３３が平面部２３２の周囲を囲んで設けられ、枠部２３３と平
面部２３２との間に垂直の壁面を形成している。枠部２３３の上面は平坦になっており、
平坦な上型３の下面外周部が密着できるようになっている。枠部２３３の上面の四隅には
後述する上型３のガイドピン５０が精度良く挿入される位置決め用穴５１が設けられてい
る。この位置決め用穴５１はガイドピン５０と共に位置決め手段を構成する。
【００２７】
図１（ｄ）の断面図、図２（ｄ）の底面図に示す固定板２１は、胴型２３の外形寸法と
ほぼ一致する四角厚板形状である。固定板２１の底面の中心部には、固定板２１を貫通す
るねじ穴２１１が４箇所設けられ、ねじを通してコア型２２の図示しないねじ穴にねじ込
むことにより、固定板２１にコア型２２を固定することができるようになっている。また
、底面の四隅の一方の対角側には、後述する上型３のガイドピン５０が挿入される連結用
穴５２が設けられている。この連結用穴５２はガイドピン５０と共に連結手段を構成する
。成形機のダイプレートに直接載置される金型の場合は固定板２１に連結用穴５２は不要
であり、積み重ねる金型に必要となる。また、固定板２１の底面の四隅の他の対角側には
、胴型２３を固定するためのねじ穴２１２が固定板を貫通して設けられ、図示しない胴型
２３のねじ穴にねじ穴２１２を介してねじをねじ込むことにより胴型２３を固定板２１に
固定できるようになっている。
【００２８】
図１（ａ）の断面図、図２（ａ）の平面図に示す上型３は、胴型２３の外形寸法とほぼ
一致する四角厚板形状である。レンズアレイを成形するために下面中央部にコア型２２の
成形面２２１に対応する成形面３１を有する。本実施形態の上型３ではレンズアレイの平
面部分を成形するため、成形面３１は平坦になっているが、レンズを形成するために成形
面３１に凹凸を設けてもよい。第１実施形態の上型３は下面全体が平坦な構造となってい
る。上型３の四隅には、上型３を垂直に貫通する貫通孔３２がそれぞれ設けられている。
この貫通孔３２はねじ穴になっており、ガイドピン５０をねじ込んで固定できるようにな
っている。
【００２９】
ガイドピン５０は、貫通孔３２にねじ込む雄ねじが設けられているねじ部５０１とねじ
部５０１と同軸でねじ部５０１から突出している連結ピン５０２とが一体になっている構
造を有する。ガイドピン５０は、図３に示すように、連結ピン５０２を上側にしてねじ部
５０１を貫通孔３２にねじ込んでねじ部５０１を貫通孔３２に固定すると、連結ピン５０
２が上型３の上面から突出して固定板２１の底面に設けられている連結用穴５２に挿入可
能となり、連結手段を構成することができる。一方、連結ピン５０２を下側にしてねじ部
５０１を貫通孔３２にねじ込んで貫通孔３２にねじ部５０１を固定すると、連結ピン５０
２が上型３の下面から突出し、連結ピン５０２が胴型２３の四隅に設けられている位置決
め用穴５１に精度良く挿入可能になり、位置決め手段を構成することができる。このよう
に、ガイドピン５０は、貫通孔３２に装着するときに、固定方向を変更することにより、
連結手段と位置決め手段を兼用できるようになっている。そのため、上型３と下型２の一
対の金型１の上に更に上型３と下型２の一対の金型１を積み重ねる場合、上型３の四隅の
貫通孔３２にガイドピン５０を装着するときに、一つの対角にある貫通孔３２にそれぞれ
ガイドピン５０が上型３の上面から突出するように装着し、別の対角にある貫通孔３２に
それぞれガイドピン５０が上型３の下面から突出するように装着する。上型３の下面から
突出している対角にある２つのガイドピン５０と下型２の上面に設けられている位置決め
用穴５１の組み合わせによる位置決め手段によって上型３と下型２の位置合わせができ、
別の対角にある上型３の上面から突出している２つのガイドピン５０と下型２の底面に設
けられている連結用穴５２の組み合わせによる連結手段を介して金型の積み重ねが可能に
なる。なお、積み重ねる金型の最も上になる金型では、成形機６０のダイプレート６２に
ぶつからないように、ガイドピン５０を上型３の上面から突出させず、全て上型３の下面
から突出させるように貫通孔３２に装着する。
【００３０】
次に、上述した部品を用いる第１実施形態の光学素子成形用金型の組立方法及び成形方
法について説明する。この組立方法では、図４に示す成形機６０の下側のダイプレート６
１上に第１光学素子成形用金型１を組み立て、この第１光学素子成形用金型１の上に更に
第２光学素子成形用金型１’を組み立てながら積み上げる手順を説明する。なお、第１光
学素子成形用金型１で成形される成形品と第２光学素子成形用金型１’で成形される成形
品とは、同一でも異なっていてもよい。
【００３１】
まず、図３に示すように、下型２を組み立てる。例えば、胴型２３にコア型２２を嵌め
込み、これらの胴型２３とコア型２２とを固定板２１の上面に載置し、固定板２１にコア
型２２をねじ穴２１１を介して４箇所のねじ止めで固定すると共に、固定板２１に胴型２
３をねじ穴２１２を介してねじ止めする。なお、コア型２２を固定板２１に固定した後、
胴型２３をコア型２２に嵌め込んで固定板２１に固定するようにしてもよい。コア型２２
と胴型２３との許容隙間は数μｍ程度であり、コア型２２と胴型２３の隙間が成形品の精
度に影響する。固定板２１、コア型２２、胴型２３の３つの主要部品を組み立てることに
より、下型２が組み立てられる。下型２では、図３に示すように、コア型２２の上面の成
形面２２１が胴型２３の平面部２３２で囲まれ、成形面２２１と平面部２３２との間にご
くわずかの垂直の段差がある。
【００３２】
下型２が組み立てられた後、図３及び図４に示すように、下型２の固定板２１を成形機
６０の下側のダイプレート６１上の固定板２１が収まるように設けられたゆるい嵌め合い
（例えば隙間が０．２〜０．５ｍｍ）の枠内に載置する。あるいは、ダイプレート６１上
に直接載置してもよい。本発明の金型１は成形機６０に固定する必要はなく、単にダイプ
レート６１上に載せるだけでよい。なお、成形機６０の上下のダイプレート６１，６２は
、どちらが可動式になっていてもよい。この実施形態では下のダイプレート６１が昇降軸
に取り付けられて昇降するとして説明する。また、ダイプレート６１に載せる段階は、金
型１全体を組み立てた後でもよい。
【００３３】
レンズアレイを成形するための硝材４は平板ガラスを用いる。硝材４は枠部２３３で囲
まれた平面部２３２の中に収まる大きさ、形状で、厚さは胴型２３の平面部２３２と枠部
２３３との段差の高さより少し厚くなっている。このような硝材４を胴型２３の平面部２
３２の上に載置する。硝材４の上面は胴型２３の上面から少し突出している。
【００３４】
次に、上型３の対角に位置する下面から下方へ突出しているガイドピン５０を胴型２３
の上面の四隅に開口している位置決め用穴５１に挿入しながら上型３を下型２へ載置する
。このとき、上型３の下面全体が平坦であり、硝材４の上面が胴型２３の上面より突出し
ているため、上型３は硝材４の上面に載置され、上型３の下面と下型２の上面とは離間し
ている状態となる。上型３は硝材４の蓋としても機能する。
【００３５】
これらの工程で、硝材４を間に挟んだ上型３と下型２の一対の第１光学素子成形用金型
１が成形機６０の下側のダイプレート６１上に組み立てられる。上型３は下型２に対して
着脱自在に載置されている。次に、組み立てた第１光学素子成形用金型１の上に第２光学
素子成形用金型１’を積み上げる。
【００３６】
まず、図３に示すように、第２光学素子成形用金型１’の下型２を上記と同様に組み立
てる。下型２は胴型２３と胴型２３に嵌め込んだコア型２２とを固定板２１に固定して組
み立てられる。下型２の固定板２１の底面を、第１光学素子成形用金型１の上型３の上面
に、固定板２１の底面に開口した連結用穴５２を第１光学素子成形用金型１の上型３の上
面から突出しているガイドピン５０に挿入させて載置する。次に、硝材４を下型２の胴型
２３の平面部２３２の上に載置する。そして、上型３の四隅に位置するいずれも下面から
下方へ突出しているガイドピン５０を胴型２３の枠部２３３上面の四隅に開口している位
置決め用穴５１に挿入しながら上型３を下型２へ載置する。このとき、上型３の下面全体
が平坦であり、硝材４の上面が胴型２３の上面より突出しているため、上型３は硝材４の
上面に載置され、上型３の下面と下型２の上面とは離間している状態となる。
【００３７】
これにより、図４に示すように、成形機６０の下側のダイプレート６１上に第１光学素
子成形用金型１が載置され、第１光学素子成形用金型１の上に第２光学素子成形用金型１
’が積み重なり、２段積みの金型１，１’が組み立てられる。図４に示すように、２段積
みの金型１，１’を一つのダイプレート上に複数個配置するようにしても良い。また、金
型１を３段積み以上に積み重ねるようにしても良い。一つのダイプレート上に複数個の金
型を配置する場合は、成形温度の熱的分布を考慮し、対称方向に設置するのが好ましい。
なお、上述した説明では、組み立てた第１光学素子成形用金型１の上に下型、硝材、上型
を順次載置する組立方法を示しているが、第１光学素子成形用金型１の上に組み立てた第
２光学素子成形用金型１’を載せるようにしてもよい。
【００３８】
それぞれ硝材４を挟んだ光学素子成形用金型１，１’を組み上げた後、成形工程を行う
。下側のダイプレート６１を上昇させ、ほとんど圧力を加えない状態で、ダイプレート６
１，６２を囲む図示しない石英管を下方に移動させて金型１，１’の周りを密封空間に形
成する。その後、図示しない真空装置で密封空間内を減圧し、更に、不活性ガス導入装置
を作動させて密封空間を不活性ガスで置換する。更に、図示しない真空装置で密封空間内
を再び真空にする。その後、図示しない赤外線ヒータなどで金型１，１’全体を加熱する
。硝材４が所定の温度に達した段階で、下側のダイプレート６１に所定の圧力を加えて所
定量上昇させて成形する。成形終了後、冷却中もダイプレート６１の圧力を保持する。
【００３９】
第１実施形態の光学素子成形用金型１は、下型２と上型３を組み立てた第１光学素子成
形用金型１の上に別の第２光学素子成形用金型１’を積み重ねれば、成形機の数を増やさ
ずに生産量を倍加させることができる。３段以上積み重ねることにより更に生産性は向上
する。
【００４０】
また、第１実施形態の光学素子成形用金型１は極めて簡素な構造を有している。下型２
と上型３の位置決めは、位置決め手段を構成するガイドピン５０と位置決め用穴５１を介
して行われる。そのため、据え付け準備の際の位置合わせ作業がいらない。下型２に対し
て上型３を位置決め手段５０，５１を介して載置するだけで金型１を組み立てることがで
きる。しかも、下型２及び上型３は成形機６０のダイプレート６１，６２に固定する必要
はなく、下側のダイプレート６１に載置するだけでよい。成形後は、成形品を取り出すた
めに、上型３を下型２から抜き出すことが必要になり、成形品の取り出しと金型１の分解
を同時に行うことができる。上型３は下型２に対して着脱自在に載置されているため、金
型１の分解は非常に容易であり、そのため、成形毎にメンテナンスを行うことも可能であ
り、メンテナンス性が良好である。また、成形に必要なセット型数＋α個（予備品：例え
ば１個）のセット型を用意することで、コア型２２のメンテナン時期がきたとしても、成
形機の可動を止めることなく成形ができる。
【００４１】
第１光学素子成形用金型１の上に別の第２光学素子成形用金型１’を積み重ねる際にも
、単に第１光学素子成形用金型１の上に第２光学素子成形用金型１’を組み立てていけば
よい構造となっており、簡素な構造により、迅速な成形作業が可能になっている。
【００４２】
また、ガイドピン５０が位置決め手段５０，５１と連結手段５０，５２を兼用している
ため、部品の共通化により更に構造が簡素化され、金型を低コストとすることができる。
【００４３】
次に、本発明の光学素子成形用金型の第２実施形態について図５〜図７を参照しながら
説明する。この第２実施形態の光学素子成形用金型１ｂは、一個の金型で複数の光学素子
を成形する一般的な金型であり、簡単に積み重ねることにより、生産性を向上させること
ができる。図５は、金型を構成する主要部品の断面図、図６は、金型を構成する主要部品
の平面図で、（ｄ）だけは底面図であり、図７は、各主要部品を用いて組み立てた金型の
断面構造を示す。
【００４４】
図５（ａ）、図６（ａ）に示す上型３ｂは、基本的に第１実施形態の上型３と同じ構造
であるが、成形面３１がコア型２２ｂの成形面２２１ｂの構造と対応して４個のレンズを
成形できる凹みを有する成形面３１ｂが設けられている。また、上型３ｂの下面から下方
に突出しているガイドピン５０ｂは、第１実施形態のガイドピン５０より連結ピン５０２
ｂが長く、そのため、突出距離が大きく、後述するコイルバネ７により上型３ｂが下型２
ｂから比較的大きく離間しているときに、位置決め用穴５１ｂに挿入できる程度の長さに
なっている。
【００４５】
図５（ｂ）、図６（ｂ）に示す胴型２３ｂは、コア型２２ｂが数μｍの隙間で嵌る水平
断面がコア型２２ｂとほぼ一致する内部空間２３１ｂを有する枠状体であり、内部空間２
３１ｂの周囲の枠状体にはコア型２２ｂの成形面２２１ｂとほぼ面一になる枠部２３３ｂ
が設けられ、その枠部２３３ｂの上面は平坦になっており、上型３の下面外周部の平坦面
が密着できるようになっている。枠部２３３ｂの上面の四隅には上型のガイドピン５０が
精度良く挿入される位置決め用穴５１ｂが設けられている。この位置決め用穴５１ｂは第
１実施形態の位置決め用穴５１よりやや深くなっている。枠部２３３ｂの上面の位置決め
用穴５１間の中間部に上面から上方に弾性体であるコイルバネ７が複数個（図面では４個
）突出して胴型２３ｂに固定されている。コイルバネ７は、上型３を均等に保持できるよ
うな位置に設けることが好ましい。
【００４６】
図５（ｃ）、図６（ｃ）に示すコア型２２ｂは、成形面２２１ｂの形状が複数個のレン
ズを成形できる複数個の凹みが設けられていること、及び成形面２２１ｂの高さが胴型２
３ｂの平面部２３２ｂとほぼ面一の高さになる点が第１実施形態のコア型２２と相違する
。図５（ｄ）、図６（ｄ）の底面図に示す固定板２１は、第１実施形態の固定板２１と変
更がない。
【００４７】
コア型２２ｂとコア型２２ｂを嵌め込んだ胴型２３ｂをそれぞれ固定板２１に固定して
下型２ｂを組み立て、団子状の硝材４ｂを成形面２２１ｂの各凹みにそれぞれ載置し、上
型３の下面から突出しているガイドピン５０ｂを下型２の上面に開口している位置決め用
穴５１ｂに合わせて上型３ｂを下型２ｂの上に載置する。
【００４８】
図７に示すように、これにより、上型３ｂが弾性体であるコイルバネ７の付勢力で下型
２ｂからかなり離間し、上型３ｂが硝材４ｂに直接接触しないようになっているが、位置
決め手段を構成するガイドピン５０ｂの先端が位置決め用穴５１ｂ内に挿入され、位置決
めが確保されている。
【００４９】
この光学素子成形用金型１ｂも、積み重ね可能であり、積み重ね方法及び成形方法は第
１実施形態とほぼ同じであるので、省略する。
【００５０】
第２実施形態の光学素子成形用金型１ｂは、第１実施形態の光学素子成形用金型１と同
様の簡素な構成を有しながら、一般的なレンズを成形可能であり、外形（外枠）形状が球
面レンズ等の円形に限らず、fθレンズ等の四角形状、その他複雑形状光学素子であって
も成形可能である。
【００５１】
なお、上記説明では、連結手段としてガイドピンと連結用穴の組み合わせを示したが、
例えば上枠の側面に上方に立ち上がる枠体を設け、この枠体で下型の固定板を収容するよ
うな構成でもよい。
【産業上の利用可能性】
【００５２】
本発明の光学素子成形用金型は、例えば、非球面ガラスレンズ、レンズアレイなどの複
雑な曲面を有するガラスレンズを熱プレス成形で成形する分野に利用可能である。
本発明の光学素子成形用金型の組立方法は、かかる金型を成形機上に組み立てて熱プレ
ス成形で光学素子を成形する用途に利用可能である。
【図面の簡単な説明】
【００５３】
【図１】本発明の光学素子成形用金型の第１実施形態を構成する主要部品の断面図。
【図２】本発明の光学素子成形用金型の第１実施形態を構成する主要部品の平面図（（ｄ）のみ底面図）。
【図３】図１に示した主要部品を有する金型の上に別の金型を積み上げていく方法を示す金型の断面構造。
【図４】成形機に第１実施形態の光学素子成形用金型を配置した状態を示す概略構成図。
【図５】第２実施形態の光学素子成形用金型を構成する主要部品の断面図。
【図６】第２実施形態の光学素子成形用金型を構成する主要部品の平面図（（ｄ）のみ底面図）。
【図７】第２実施形態の光学素子成形用金型の断面図。
【符号の説明】
【００５４】
１、１’：光学素子成形用金型、２：下型、３：上型、４：硝材、２１：固定板、２２
：コア型、２３：胴型、３２：貫通孔、５０：ガイドピン、５１：位置決め用穴、５２：
連結用穴
【図１】
2007246377.tif 000003
【図２】
2007246377.tif 000004
【図３】
2007246377.tif 000005
【図４】
2007246377.tif 000006
【図５】
2007246377.tif 000007
【図６】
2007246377.tif 000008
【図７】
2007246377.tif 000009